(57)【特許請求の範囲】
【請求項１】
互いにＬＡＮを介して接続される情報端末装置と、ＤＢサーバとを備え、
前記情報端末装置は、顧客データ又は市況データの検索・表示指示をＬＡＮを介して前記ＤＢサーバに送信し、ＬＡＮを介して前記ＤＢサーバから受信した顧客データ、計算データ又は市況データを表示する情報端末装置であり、
前記ＤＢサーバは、顧客コードと当該顧客が保有する商品の銘柄コードとを対応づけている顧客データを格納しており、更に検索を行うＤＢエンジンと、外部から受信する銘柄コードと当該銘柄の始値等、気配情報、売上高情報等の証券情報とを対付けている市況データを格納する市況テーブルとを備え、銘柄コードをキーとして、市況テーブルを検索して、該当する市況データをＬＡＮを介して前記情報端末装置に送信し、また、顧客コードをキーとして、前記顧客データから当該顧客が保有する商品の銘柄コードを検索して、該当する銘柄コードをキーとして前記市況テーブルから証券情報を検索して、該当する証券情報に基づいて騰落状況、売買時の損益額等の計算データを算出して、該当する顧客データと、算出された計算データとをＬＡＮを介して前記情報端末装置に送信するＤＢサーバであることを特徴とする情報表示システム。
【請求項２】
ＤＢサーバは、情報端末装置からＬＡＮを介して、顧客コードをキーとして顧客データの表示を行う要求の指示を受信して、当該キーによって顧客データをＤＢエンジンが検索し、取得した顧客データについて該顧客が保有する商品の銘柄コードをキーとして市況テーブルから証券情報の検索を行うデータ関連付け処理と、前記顧客データと前記検索された証券情報に基づいて計算データを算出するデータ計算処理とを行い、前記顧客データ、前記計算データ又は前記市況データをＬＡＮを介して情報端末装置へ送信するデータ連結手段とを有するＤＢサーバであることを特徴とする請求項１記載の情報表示システム。
【請求項３】
互いにＬＡＮを介して接続される情報端末装置と、ＤＢサーバとから基本的に構成される情報表示システムであって、
前記情報端末装置は、顧客データ又は市況データの検索指示をＬＡＮを介して前記ＤＢサーバに送信し、ＬＡＮを介して前記ＤＢサーバから受信した顧客データ、計算データ又は市況データを表示する情報端末装置であり、
前記ＤＢサーバは、外部から市況データを受信する第１のＩ／Ｆと、前記外部から受信した市況データの銘柄コードをキーとして市況テーブルを検索し、検索されれば、前記市況テーブルに格納されている市況データと前記外部から受信した市況データとが異なっているかどうかを判断し、異なっていれば、前記外部から受信した市況データを前記市況テーブルに上書きする市況データモニタ手段と、外部から顧客データの全部又は一部の入力を受ける第２のＩ／Ｆと、前記外部から入力された顧客データの全部又は一部をキーとしてＤＢエンジンが顧客データを検索し、検索されなければ、該入力された顧客データの全部又は一部を顧客データとして前記ＤＢエンジンのＤＢに挿入して格納し、検索されれば、該入力された顧客データの全部又は一部を顧客データとして更新して格納する顧客データモニタ手段とを有することを特徴とする請求項１又は請求項２記載の情報表示システム。
【請求項４】
情報端末装置は、ＬＡＮ−Ｉ／Ｆと、送受信手段と、画面表示手段と、入力手段とを具備し、
前記ＬＡＮ−Ｉ／Ｆは、ＬＡＮを介して受信した顧客データ、計算データ又は市況データを前記送受信手段に出力し、また、前記送受信手段から入力される顧客データ又はデータの表示の指示をＬＡＮを介して送信するＬＡＮ−Ｉ／Ｆであり、
前記送受信手段は、前記ＬＡＮ−Ｉ／Ｆからデータの入力を受けて、該データを前記画面表示手段に出力し、また、前記入力手段から特定のデータの表示の指示が入力され、前記ＬＡＮ−Ｉ／Ｆに出力する送受信手段であり、
前記画面表示手段は、前記送受信手段から、どのデータを表示するかの指示を受けて、前記顧客データ、計算データ又は市況データを予め定められた書式に従って表示出力する画面表示手段である情報端末装置であることを特徴とする請求項１又は請求項２又は請求項３記載の情報表示システム。
【請求項５】
情報端末装置は、指示によって、ＤＢサーバからオンライン状態で受信したデータを一時的に保持し、オフライン状態となった後に前記ＤＢサーバとの接続を切り離して携帯可能とした情報端末装置であることを特徴とする請求項１又は請求項２又は請求項３記載の情報表示システム。
【請求項６】
情報端末装置は、ＬＡＮ−Ｉ／Ｆと、送受信手段と、画面表示手段と、入力手段と、データ管理手段と、データ保管メモリとを具備し、
前記ＬＡＮ−Ｉ／Ｆは、ＬＡＮを介して受信した顧客データ、計算データ又は市況データを前記送受信手段に出力し、また、前記送受信手段から入力される顧客データ又はデータの表示の指示をＬＡＮを介して送信するＬＡＮ−Ｉ／Ｆであり、
前記送受信手段は、前記入力手段より通信停止の指示とを受けて、指示された特定の顧客データ及び計算データ又は市況データをＤＢサーバよりダウンロードし、顧客データ又はデータの表示の指示を前記ＬＡＮ−Ｉ／Ｆから前記データ管理手段に切替えて出力するオフライン状態となり、また、通信再開の指示の入力を受けて、前回オフライン状態となってから新規に、または更新して入力されたデータを抽出する指示を前記データ管理手段に出力し、前回オフライン状態となってから新規に、または更新して入力されたデータの入力を受けて、該データを前記ＬＡＮ−Ｉ／Ｆに出力するとともに、顧客データ又はデータの表示の指示を前記データ管理手段から前記ＬＡＮ−Ｉ／Ｆに切替えて出力するオンライン状態となる送受信手段であり、
前記データ保管メモリは、ＤＢサーバよりＬＡＮを介してダウンロードした顧客データ及び計算データ又は市況データを格納するデータ保管メモリであり、
前記データ管理手段は、オフライン状態にて、前記送受信手段から顧客データの入力を受けて、前記データ保管メモリに格納し、オフライン状態にて、前記送受信手段からデータの表示の指示を受けて、前記データ保管メモリから当該指示されたデータを抽出して、前記画面表示手段に出力するデータ管理手段であり、
前記画面表示手段は、前記送受信手段又は前記データ管理手段から、どのデータを表示するかの指示を受けて、前記顧客データ、計算データ又は市況データを予め定められた書式に従って表示出力する画面表示手段である情報端末装置であることを特徴とする請求項１又は請求項２又は請求項３又は請求項５記載の情報表示システム。
【請求項７】
送受信手段は、オフライン状態にあって入力を受けた顧客データを通信再開の指示を受けてＬＡＮを介してＤＢサーバへ送信する送受信手段であることを特徴とする請求項５又は請求項６記載の情報表示システム。
【請求項８】
情報端末装置のデータ管理手段は、オフライン状態にて、送受信手段より、顧客データの入力を受けてデータ保管メモリに更新して格納するとともに、該更新された顧客データを元にして、前記データ保管メモリに格納されている計算データを再計算し、更新して格納するとともに画面表示手段に出力するデータ管理手段であることを特徴とする請求項５又は請求項６又は請求項７記載の情報表示システム。
【発明の詳細な説明】
【０００１】
【発明の属する技術分野】
本発明は、証券会社等において、証券、金融業界の情報と、顧客データとを検索し、表示する情報表示システムに係り、特に、顧客データから取引の判断材料となるデータをリアルタイムに表示させて、利便性の高い情報表示システムに関する。
【０００２】
【従来の技術】
従来の情報表示システムでは、証券会社の店舗外において渉外活動を行う際には、営業マンが証券情報等を閲覧する端末と、顧客データを閲覧・更新する端末とを別々に所持しており、営業マンは、証券情報等を格納するデータベースと、顧客データを格納するデータベースとの２つのデータベースを、通信回線を介してアクセスして渉外活動を行うようにしていた。
従って、通信回線に接続できない場合には、渉外活動を行うことが困難であった。
【０００３】
また、証券会社の店舗内においても、証券情報用の情報端末装置と、顧客データ用の情報端末装置とは、それぞれ専用の情報端末装置となっていた。
すなわち、証券情報用の情報端末装置を用いて顧客データを検索することはできず、その逆もできなかった。
【０００４】
そこで従来、営業マンが特定の顧客に応対する際、まず、顧客データ用の情報端末装置によって、顧客データを検索して保有商品を検索し、次いで各保有商品の動向を証券情報用の情報端末装置を用いて検索し、両情報より、営業マンが手動で計算を行って顧客の保有商品等の状況を参照し、営業活動を行うようにしていた。
【０００５】
【発明が解決しようとする課題】
しかしながら、上記従来の情報表示システムでは、計算が手動であるので、計算ミスが生じやすいほか、時間がかかり、リアルタイム性に乏しいという問題点があった。
【０００６】
また、上記従来の情報表示システムでは、端末を複数使用するため、設置のための占有面積が増大するという問題点があった。
【０００７】
さらに、上記従来の情報表示システムでは、通信回線の利用が困難な地域にあっては、渉外活動に支障をきたすという問題点があった。
【０００８】
本発明は上記実情に鑑みて為されたもので、証券情報と顧客データとを関連づけて、各顧客毎の保有商品等の状況を一の端末において、リアルタイムに表示できるとともに、通信回線の利用が困難な地域にあっても、データベースに格納されているデータの一部を指示によってダウンロードし、一時的に保持することによって、渉外活動に支障を来すことのない情報表示システムを提供することを目的とする。
【００１０】
【課題を解決するための手段】
上記従来例の問題点を解決するための本発明は、情報表示システムにおいて、互いにＬＡＮを介して接続される情報端末装置と、ＤＢサーバとを備え、前記情報端末装置は、顧客データ又は市況データの検索・表示指示をＬＡＮを介して前記ＤＢサーバに送信し、ＬＡＮを介して前記ＤＢサーバから受信した顧客データ、計算データ又は市況データを表示する情報端末装置であり、前記ＤＢサーバは、顧客コードと当該顧客が保有する商品の銘柄コードとを対応づけている顧客データを格納しており、更に検索を行うＤＢエンジンと、外部から受信する銘柄コードと当該銘柄の始値等、気配情報、売上高情報等の証券情報とを対付けている市況データを格納する市況テーブルとを備え、銘柄コードをキーとして、市況テーブルを検索して、該当する市況データをＬＡＮを介して前記情報端末装置に送信し、また、顧客コードをキーとして、前記顧客データから当該顧客が保有する商品の銘柄コードを検索して、該当する銘柄コードをキーとして前記市況テーブルから証券情報を検索して、該当する証券情報に基づいて騰落状況、売買時の損益額等の計算データを算出して、該当する顧客データと、算出された計算データとをＬＡＮを介して前記情報端末装置に送信するＤＢサーバであることを特徴としており、各顧客の保有商品等の状況と市況データとを一の端末において、リアルタイムに表示できる。
【００１１】
上記従来例の問題点を解決するための本発明は、上記情報表示システムにおいて、ＤＢサーバは、情報端末装置からＬＡＮを介して、顧客コードをキーとして顧客データの表示を行う要求の指示を受信して、当該キーによって顧客データをＤＢエンジンが検索し、取得した顧客データについて該顧客が保有する商品の銘柄コードをキーとして市況テーブルから証券情報の検索を行うデータ関連付け処理と、前記顧客データと前記検索された証券情報に基づいて計算データを算出するデータ計算処理とを行い、前記顧客データ、前記計算データ又は前記市況データをＬＡＮを介して情報端末装置へ送信するデータ連結手段とを有するＤＢサーバであることを特徴としており、各顧客の保有商品等の状況と市況データとを一の端末において、リアルタイムに表示できる。
【００１２】
上記従来例の問題点を解決するための本発明は、上記情報表示システムにおいて、互いにＬＡＮを介して接続される情報端末装置と、ＤＢサーバとから基本的に構成される情報表示システムであって、前記情報端末装置は、顧客データ又は市況データの検索指示をＬＡＮを介して前記ＤＢサーバに送信し、ＬＡＮを介して前記ＤＢサーバから受信した顧客データ、計算データ又は市況データを表示する情報端末装置であり、前記ＤＢサーバは、外部から市況データを受信する第１のＩ／Ｆと、前記外部から受信した市況データの銘柄コードをキーとして市況テーブルを検索し、検索されれば、前記市況テーブルに格納されている市況データと前記外部から受信した市況データとが異なっているかどうかを判断し、異なっていれば、前記外部から受信した市況データを前記市況テーブルに上書きする市況データモニタ手段と、外部から顧客データの全部又は一部の入力を受ける第２のＩ／Ｆと、前記外部から入力された顧客データの全部又は一部をキーとしてＤＢエンジンが顧客データを検索し、検索されなければ、該入力された顧客データの全部又は一部を顧客データとして前記ＤＢエンジンのＤＢに挿入して格納し、検索されれば、該入力された顧客データの全部又は一部を顧客データとして更新して格納する顧客データモニタ手段とを有することを特徴としており、各顧客の保有商品等の状況と市況データとを一の端末において、リアルタイムに表示できる。
【００１３】
上記従来例の問題点を解決するための本発明は、上記情報表示システムにおいて、情報端末装置は、ＬＡＮ−Ｉ／Ｆと、送受信手段と、画面表示手段と、入力手段とを具備し、前記ＬＡＮ−Ｉ／Ｆは、ＬＡＮを介して受信した顧客データ、計算データ又は市況データを前記送受信手段に出力し、また、前記送受信手段から入力される顧客データ又はデータの表示の指示をＬＡＮを介して送信するＬＡＮ−Ｉ／Ｆであり、前記送受信手段は、前記ＬＡＮ−Ｉ／Ｆからデータの入力を受けて、該データを前記画面表示手段に出力し、また、前記入力手段から特定のデータの表示の指示が入力され、前記ＬＡＮ−Ｉ／Ｆに出力する送受信手段であり、前記画面表示手段は、前記送受信手段から、どのデータを表示するかの指示を受けて、前記顧客データ、計算データ又は市況データを予め定められた書式に従って表示出力する画面表示手段である情報端末装置であることを特徴としており、各顧客の保有商品等の状況と市況データとを一の端末において、リアルタイムに表示できる。
【００１４】
上記従来例の問題点を解決するための本発明は、上記情報表示システムにおいて、情報端末装置は、指示によって、ＤＢサーバからオンライン状態で受信したデータを一時的に保持し、オフライン状態となった後に前記ＤＢサーバとの接続を切り離して携帯可能とした情報端末装置であることを特徴としており、渉外活動に支障を来すことなく、各顧客の保有商品等の状況と市況データとを表示できる。
【００１５】
上記従来例の問題点を解決するための本発明は、上記情報表示システムにおいて、情報端末装置は、ＬＡＮ−Ｉ／Ｆと、送受信手段と、画面表示手段と、入力手段と、データ管理手段と、データ保管メモリとを具備し、前記ＬＡＮ−Ｉ／Ｆは、ＬＡＮを介して受信した顧客データ、計算データ又は市況データを前記送受信手段に出力し、また、前記送受信手段から入力される顧客データ又はデータの表示の指示をＬＡＮを介して送信するＬＡＮ−Ｉ／Ｆであり、前記送受信手段は、前記入力手段より通信停止の指示とを受けて、指示された特定の顧客データ及び計算データ又は市況データをＤＢサーバよりダウンロードし、顧客データ又はデータの表示の指示を前記ＬＡＮ−Ｉ／Ｆから前記データ管理手段に切替えて出力するオフライン状態となり、また、通信再開の指示の入力を受けて、前回オフライン状態となってから新規に、または更新して入力されたデータを抽出する指示を前記データ管理手段に出力し、前回オフライン状態となってから新規に、または更新して入力されたデータの入力を受けて、該データを前記ＬＡＮ−Ｉ／Ｆに出力するとともに、顧客データ又はデータの表示の指示を前記データ管理手段から前記ＬＡＮ−Ｉ／Ｆに切替えて出力するオンライン状態となる送受信手段であり、前記データ保管メモリは、ＤＢサーバよりＬＡＮを介してダウンロードした顧客データ及び計算データ又は市況データを格納するデータ保管メモリであり、前記データ管理手段は、オフライン状態にて、前記送受信手段から顧客データの入力を受けて、前記データ保管メモリに格納し、オフライン状態にて、前記送受信手段からデータの表示の指示を受けて、前記データ保管メモリから当該指示されたデータを抽出して、前記画面表示手段に出力するデータ管理手段であり、前記画面表示手段は、前記送受信手段又は前記データ管理手段から、どのデータを表示するかの指示を受けて、前記顧客データ、計算データ又は市況データを予め定められた書式に従って表示出力する画面表示手段である情報端末装置であることを特徴としており、渉外活動に支障を来すことなく、各顧客の保有商品等の状況と市況データとを表示できる。
【００１６】
上記従来例の問題点を解決するための本発明は、上記情報表示システムにおいて、送受信手段は、オフライン状態にあって入力を受けた顧客データを通信再開の指示を受けてＬＡＮを介してＤＢサーバへ送信する送受信手段であることを特徴としており、渉外活動に支障を来すことなく、各顧客の顧客データを更新できる。
【００１７】
上記従来例の問題点を解決するための本発明は、上記情報表示システムにおいて、情報端末装置のデータ管理手段はオフライン状態にて、送受信手段より、顧客データの入力を受けてデータ保管メモリに更新して格納するとともに、該更新された顧客データを元にして、前記データ保管メモリに格納されている計算データを再計算し、更新して格納するとともに画面表示手段に出力するデータ管理手段であることを特徴としており、渉外活動を円滑に行うことができる。
【００１８】
【発明の実施の形態】
本発明の実施の形態を図面を参照しながら説明する。
本発明に係る情報表示システムは、特定の顧客の顧客データを検索する指示を受けて、当該顧客データとそれに関連する保有商品の情報を検索し、それをもって市況データをも検索し、騰落状況等を算出し、顧客データと該計算したデータとを表示出力するものである。
【００１９】
本発明の第１の実施の形態に係る情報表示システムを図１を使って説明する。図１は、本発明の実施の形態に係る情報表示システムの構成ブロック図である。本発明の第１の実施の形態に係る情報表示システムは、ＤＢサーバ１と、情報端末装置２とから基本的に構成されており、双方はＬＡＮ（Local Area Network）によって接続されている。尚、図１では、情報端末装置２は、１台しか示されていないが、実際には複数の情報端末装置２が存在している。
【００２０】
各部を具体的に説明すると、ＤＢサーバ１は、証券取引の状況を監視し、時々刻々と変化する証券情報等を市況データとして集計・送信するコンピュータセンタから証券情報等を受信して、当該証券情報等と、顧客データとを格納し、ＬＡＮを介して情報端末装置２に接続され、情報端末装置２からデータを更新すべき指示の入力を受けて、ＤＢ（データベース）の更新を行うものである。
【００２１】
また、ＤＢサーバ１は、情報端末装置２から特定の顧客コードについての顧客データを表示するように指示を受けると、当該顧客コードをキーとして、顧客データをＤＢから検索し、情報端末装置２にＬＡＮを介して送信するとともに、当該顧客が保有する商品の騰落情報等、損益に関する計算データをも併せて送信するものである。
【００２２】
情報端末装置２は、利用者からの検索・表示要求・データ更新の指示の入力を受けて、それら指示及びデータをＬＡＮを介してＤＢサーバ１に送信するものである。
また、情報端末装置２は、ＬＡＮを介してＤＢサーバ１から顧客の保有商品に関する情報等を受信してそれらを表示するものである。
【００２３】
そこで以下、ＤＢサーバ１と、情報端末装置２の具体的な実現手段を図１を用いて説明する。
ＤＢサーバ１は、図１に示すように第１のＩ／Ｆ１１と、市況データモニタ手段１２と、市況テーブル１３と、第２のＩ／Ｆ１４と、顧客データモニタ手段１５と、ＤＢエンジン１６と、ＬＡＮ−Ｉ／Ｆ１７と、データ連結手段１８と、更新手段１９と、オンキャッシュリミットマインダテーブル２０と、オンキャッシュ表示状態テーブル２１とから構成されている。
そして、情報端末装置２は、ＬＡＮ−Ｉ／Ｆ３１と、送受信手段３２と、画面表示手段３３と、入力手段３４とから構成されている。
【００２４】
以下、これらの各部を具体的に説明する。
ＤＢサーバ１の第１のＩ／Ｆ１１は、コンピュータセンタから市況データ（証券情報等）を受信して市況データモニタ手段１２に出力するものである。
市況データモニタ手段１２は、第１のＩ／Ｆ１１から入力される市況データに基づいて市況テーブル１３を更新するものである。
【００２５】
具体的には、市況データモニタ手段１２は、図２に示すのような処理を行うものである。図２は、市況データモニタ手段１２の情報を処理する動作を表すフローチャート図である。
【００２６】
すなわち、市況データモニタ手段１２は、第１のＩ／Ｆ１１によって受信された市況データを一時的に格納するデュアルポートＲＡＭを備え、各格納されたデータ毎に、そのデータを既に処理したことを表す受信制御フラグを付与しており、データを処理するときには、まず、受信制御フラグを既に処理を終了したことを表す状態（例えば、ＯＮの状態）とし（Ｓ１）、デュアルポートＲＡＭから当該市況データを読み出す（Ｓ２）。
【００２７】
ここで受信された市況データは、どの銘柄についてのデータであるかを表す銘柄コードを伴っているが、この銘柄コードは、市況テーブル１３における銘柄コードと異なっているとしてもよい。すなわち、同じ「ソミー」という銘柄について、受信した市況データにおいては、銘柄コードが「６５０１」であり、市況テーブル１３においては、銘柄コードが「６７５８」であるというようになっていてもよい。
【００２８】
そこで、市況テーブル１３を検索するために、受信した市況データの銘柄コードを市況テーブル１３の銘柄コードに変換する（Ｓ３）。
そして、市況テーブル１３を検索し（Ｓ４）、該銘柄コードに対応する銘柄がなければ、処理を終了する。
また、処理Ｓ４において、該銘柄コードに対応する銘柄があれば、着信したデータと、市況テーブル１３のデータとを比較し（Ｓ５）、それらが一致している（同じである）ならば、更新の必要がないものとして処理を終了する。
【００２９】
また、処理Ｓ５において、着信したデータと、市況テーブル１３のデータとが一致していないならば、市況テーブル１３のデータを着信したデータで更新し（Ｓ６）、後で説明する更新フラグを更新したことを表すもの（例えばＯＮ）とし（Ｓ７）、処理を終了する。
【００３０】
市況テーブル１３は、図３に示すように各銘柄毎の証券情報を格納しているものであり、具体的には、銘柄コードと、取引所と、始値等と、気配情報と、売買高情報と、データが更新されているかどうかを表す更新フラグ等を格納しているものである。
図３は、市況テーブル１３の一例を表す説明図である。
【００３１】
また、更新フラグは、後に説明する更新手段１９によって参照されるようになっている。具体的には、後述する。
【００３２】
第２のＩ／Ｆ１４は、外部から顧客データの入力を受けて、顧客データモニタ手段１５に出力するものである。
顧客データモニタ手段１５は、ＤＢエンジン１６に受信した顧客データを出力するものである。
【００３３】
具体的には、顧客データモニタ手段１５は、図４に示すような動作を行うものである。図４は、顧客データモニタ手段１５の動作を説明するフローチャート図である。
顧客データモニタ手段１５は、デュアルポートＲＡＭ（図示せず）と、該デュアルポートＲＡＭ上のデータを処理したかどうかを表す受信制御フラグを具備している。
【００３４】
顧客データモニタ手段１５は、顧客データの処理を開始すると、まず、処理しようとする顧客データの受信制御フラグを処理を行ったことを表すもの（例えばＯＮ）にする（Ｓ１０）。
そして、デュアルポートＲＡＭから受信した顧客データを読み出して（Ｓ１１）、当該顧客データの顧客コードに変換して、ＤＢエンジン１６にて、顧客が検索できるようにする（Ｓ１２）。
【００３５】
そして、顧客データモニタ手段１５は、後に説明するＤＢエンジン１６を用いて当該顧客コードがＤＢにあるかどうかを検索し（Ｓ１３）、ＤＢにないならば、ＤＢに当該顧客を追加して（挿入して）、その顧客データを登録して（Ｓ１４）、処理を終了する。
また、処理Ｓ１３において、ＤＢにあるならば、当該顧客データを、既にあるデータを更新して登録し（Ｓ１５）、処理を終了する。
【００３６】
ＤＢエンジン１６は、外部のハードディスク装置等に格納されている顧客データ等のＤＢを管理するものである。
具体的には、ＤＢエンジン１６は、顧客データモニタ手段１５からデータ検索、登録等の指示を受けてＤＢを検索、更新するものである。
【００３７】
また、ＤＢエンジン１６は、データ連結手段１８からデータの検索の指示を受けて、ＤＢを検索するものである。
さらにＤＢエンジン１６は、更新手段１９からデータの更新の指示を受けて、ＤＢを更新するものである。
【００３８】
ＤＢエンジン１６が検索する、顧客データ等を格納しているＤＢでは、顧客データを図５（ａ）〜（ｃ）に示すような３つのテーブルに分けて格納している。
図５は、顧客データを管理する顧客テーブルの一例を表す説明図である。
【００３９】
すなわち、顧客データは、図５（ａ）に示すような、顧客コードとそれに対応する顧客の氏名、生年月日、住所、電話番号等のデータを格納する第１の顧客テーブルと、図５（ｂ）に示すような、各保有銘柄について顧客コード及び銘柄コードとそれに対応する銘柄名と、売買の区分と、取引種の区分等を格納している第２の顧客テーブルと、図５（ｃ）に示すような、各売買の履歴について顧客コード及び銘柄コードとそれに対応する銘柄名と、売買の区分と、取引種の区分等を格納している第３の顧客テーブルとに分けて格納されている。
【００４０】
従って、ある顧客コードによって特定される顧客が保有する銘柄の全てを検索するためには、第２の顧客テーブルの各保有銘柄について顧客コードが一致するかどうかを検索しなければならない。
【００４１】
また、ＤＢエンジン１６が検索するＤＢには、図６に示すようなリミットマインダテーブルも格納されている。図６は、リミットマインダテーブルの内容の一例を表す説明図である。
尚、このＤＢに格納されているリミットマインダテーブルと後に説明するオンキャッシュリミットマインダテーブル２０とは、内容が異なるものである。すなわち、オンキャッシュリミットマインダテーブル２０は、ＤＢに格納されているリミットマインダテーブルの一部を抽出したものとなっている。詳細は後述する。
【００４２】
ＬＡＮ−Ｉ／Ｆ１７は、ＴＣＰ／ＩＰ等のデータ転送手段を用いて、情報端末装置２と指示及びデータ（以下、まとめて「電文」と称することがある）の送受信を行い、データ連結手段１８及び更新手段１９とは、デュアルポートＲＡＭ（図示せず）を用いて電文の授受を行うようになっている。
【００４３】
具体的には、ＬＡＮ−Ｉ／Ｆ１７は、エラーカウンタと、受信する電文を一時的に記録するバッファと、受信制御フラグを具備し、受信時には、電文を一時バッファに格納し、電文の受信が終了すると、電文に誤りがないかどうかを検査し、誤りがあれば当該電文を破棄して、エラーカウンタをインクリメントし、処理を終了する。
【００４４】
また、バッファに格納された電文に誤りがないときには、デュアルポートＲＡＭにデータをセットし、受信制御フラグにより、データの受信があったことを示す（例えば受信制御フラグをＯＮにする）。
さらに、送信時には、ＬＡＮ−Ｉ／Ｆ１７は、デュアルポートＲＡＭからデータを取り出して、送信をするようにする。
【００４５】
データ連結手段１８は、市況テーブル１３と、ＤＢエンジン１６と、ＬＡＮ−Ｉ／Ｆ１７との間に介在し、図７に示すような処理を行うものである。
図７は、データ連結手段１８の動作を表すフローチャート図である。
【００４６】
データ連結手段１８は、情報端末装置２より、ＬＡＮ−Ｉ／Ｆ１７を介してデータの要求の指示を受けて処理を開始するものである。
ここで、データの要求の指示には、市況データと、顧客データとを表示するか否かを内包している。
さらに、ここで市況データを表示する場合には、どの市況データを表示するかを例えば銘柄コードによって特定する情報が含まれ、顧客データを表示する場合には、顧客コードによって顧客データとその顧客が保有する商品の市況データを特定する情報が含まれている。
【００４７】
データ連結手段１８は、まず、指示の内容を解析して、市況データの表示を行うか否かを判断する（Ｓ２０）。
そして、もし、市況データの表示を行わないならば（Ｎｏであるならば）、処理Ｓ２３に移行する。
また、処理Ｓ２０において、市況データの表示を行うならば（Ｙｅｓであるならば）、市況テーブル１３から銘柄コードによって市況データを検索して（Ｓ２１）、該当する市況データを取得する（Ｓ２２）。
【００４８】
そして、データ連結手段１８は、顧客データを表示するか否かを判断し（Ｓ２３）、行わないならば（Ｎｏであるならば）、処理Ｓ２６へ移行する。
また、処理Ｓ２３において、顧客データを表示するならば（Ｙｅｓであるならば）、ＤＢエンジン１６に顧客コードをキーとして顧客データを検索させ（Ｓ２４）、該当する顧客データを取得する（Ｓ２５）。
【００４９】
そして、データ連結手段１８は、取得したデータがあるかどうか（送信するデータがあるかどうか）を判断し（Ｓ２６）、もし、送信すべきデータがないならば（Ｎｏであるならば）、処理を終了する。
【００５０】
また、処理Ｓ２６において、送信すべきデータがあるならば（Ｙｅｓであるならば）、データ連結手段１８は、図５（ｂ）に示す顧客データより、当該顧客が保有する銘柄コードを取得し、次いで当該銘柄コードをキーとして市況テーブルを検索し、市況データを取得する（Ｓ２７）。図面では、この動作をまとめて「データ関連付け」と称している。
【００５１】
また、データ連結手段１８は、ＤＢエンジン１６から顧客コードを指定して、顧客データを検索するとともに、リミットマインダテーブルをも検索して、該顧客コードに対応するリミットマインダテーブルの内容も抽出している。
【００５２】
そして、データ連結手段１８は、処理Ｓ２７にて検索された市況データを元にして、騰落状況、売買時の損益額等を計算する（Ｓ２８）。図面では、この動作をまとめて「データ計算」と称している。
【００５３】
また、データ連結手段１８は、処理Ｓ２７にて抽出された市況データとリミットマインダテーブルとを参照して、注目する銘柄についての情報をも計算している。
【００５４】
そして、データ連結手段１８は、処理Ｓ２６までに取得したデータと処理Ｓ２８にて計算したデータ（計算データ）とをＬＡＮ−Ｉ／Ｆ１７に出力して（Ｓ２９）、処理を終了する。
【００５５】
このように、データ連結手段１８は、顧客データの要求の指示のみを受けても、顧客データと保有銘柄の市況データに関する計算データとを出力するようになっている。
【００５６】
更新手段１９は、タイマ（図示せず）によって、発生する割り込み処理として実現されているものである。従って、更新手段１９は、一定の時間をおいて、定期的に起動されるものである。
具体的には、タイマによる割り込みは、情報端末装置２の表示を定期的に更新するためのリアルタイム送信タイマ割り込みと、定期的にＤＢにバックアップを行うためのＤＢ更新タイマ割り込みの２種類があり、どちらによっても更新手段１９が起動されることになる。尚、以下の説明では、これら２種類の割り込みが同時発生しても構わないとしている。
【００５７】
更新手段１９は、市況テーブル１３と、ＤＢエンジン１６と、ＬＡＮ−Ｉ／Ｆ１７と、オンキャッシュリミットマインダテーブル２０と、オンキャッシュ表示状態テーブル２１とに接続されている。
【００５８】
具体的には、更新手段１９は、図８に示すような処理を行っているものである。図８は、更新手段１９の処理の内容を表すフローチャート図である。
タイマによる割り込みを受けた更新手段１９は、市況テーブル１３の更新フラグが「ＯＮ」（更新がされた）になっているかどうかを調べ（Ｓ３０）、なっていなければ、処理を終了する。
【００５９】
また、処理Ｓ３０において、市況テーブル１３が更新をされていれば、割り込みの種類が、リアルタイム送信タイマ割り込みであるかどうかを判断する（Ｓ３１）。
もし、割り込みの種類がリアルタイム送信タイマ割り込みでないならば（Ｎｏならば）、後の処理Ｓ３８へ移行する。
【００６０】
また、処理Ｓ３１において、割り込みの種類がリアルタイム送信タイマ割り込みであるならば（Ｙｅｓならば）、更新手段１９は、オンキャッシュ表示状態テーブル２１を検索して（Ｓ３２）、ＤＢサーバ１において、既に更新されているデータであるにもかかわらず、情報端末装置２に送信していないデータ（図面では「該当するデータ」と称する）があるかどうかを判断し（Ｓ３３）、該当するデータがあるならば（Ｙｅｓならば）、該当するデータをＬＡＮ−Ｉ／Ｆ１７に出力する（Ｓ３４）。
また、処理Ｓ３３において、該当するデータがないならば（Ｎｏならば）、処理Ｓ３５へ移行する。
【００６１】
そして、更新手段１９は、オンキャッシュリミットマインダテーブル２０を検索して（Ｓ３５）、情報端末装置２が更新されているにもかかわらず更新以前の銘柄情報等のデータ（図面では「該当するデータ」と称する）を表示しているかどうかを判断し（Ｓ３６）、該当するデータがあるならば（Ｙｅｓならば）、該当するデータをＬＡＮ−Ｉ／Ｆ１７に出力する（Ｓ３７）。
【００６２】
また、処理Ｓ３６において、該当するデータがないならば（Ｎｏならば）、処理Ｓ３８に移行する。
そして、更新手段１９は、割り込みの種類がＤＢ更新タイマであるかどうかを判断し（Ｓ３８）、そうでないならば（Ｎｏならば）、処理を終了し、そうであるならば（Ｙｅｓならば）、ＤＢエンジン１６にデータの更新の指示を出力して（Ｓ３９）、処理を終了する。
【００６３】
このほか、更新手段１９は、ＤＢエンジン１６からリミットマインダテーブルの一部の入力を受けて、それをオンキャッシュリミットマインダテーブル２０に格納するものである。
【００６４】
オンキャッシュリミットマインダテーブル２０は、図６に示す、ＤＢに格納されているリミットマインダの一部を抽出したものであり、顧客コードに対応して、銘柄コードと、銘柄名と、安値設定と、高値設定と、監視状況とを包含する、リミットマインダ情報を複数格納しているものである。
【００６５】
オンキャッシュ表示状態テーブル２１は、図９に示すように、各情報端末装置２が表示している情報の種類を表しているものである。図９は、オンキャッシュ表示状態テーブル２１の内容を表す説明図である。
【００６６】
具体的には、オンキャッシュ表示状態テーブル２１は、各情報端末装置２が表示している情報を表示状態として格納しているものである。
各表示状態は、画面番号と、表示中の顧客コードと、複数の銘柄コードとから構成されている。
【００６７】
次に、情報端末装置２の各部について説明する。
ＬＡＮ−Ｉ／Ｆ３１は、ＤＢサーバ１のＬＡＮ−Ｉ／Ｆ１７とＬＡＮを介して接続されているものであり、データの交換を行うものである。
また、ＬＡＮ−Ｉ／Ｆ３１は、送受信手段３２から指示及びデータの入力を受けてＬＡＮを介してＤＢサーバ１に送信し、また、ＤＢサーバ１からＬＡＮを介して受信したデータを送受信手段３２に出力するものである。
【００６８】
送受信手段３２は、入力手段３４から指示及びデータの入力を受けて、それを画面表示手段３３と、ＬＡＮ−Ｉ／Ｆ３１とに出力するものである。
また、ＬＡＮ−Ｉ／Ｆ３１からデータの入力を受けて、それを画面表示手段３３に出力するものである。
【００６９】
画面表示手段３３は、ディスプレイを備え、入力手段３４から送受信手段３２を介して入力された指示を受けて、これを一時保持し、後に送受信手段３２より入力されるデータを、ディスプレイに表示するものである。
【００７０】
具体的には、画面表示手段３３は、入力手段３４から送受信手段３２を介して、顧客データの表示を行うように指示を受けると、これを保持し、次にＬＡＮを介して送られてくる、顧客データと計算データとの入力を受けて、保持している指示に従って、まず顧客データのみを表示するようにするものである。
【００７１】
入力手段３４は、利用者からの指示の入力を受けて、それを送受信手段３２に出力するものである。
【００７２】
次に、本発明の第１の実施の形態に係る情報表示システムの特徴的な動作を図１１〜図１３を用いて具体例に基づいて説明する。
図１１は、携帯端末装置２における顧客データの表示画面を表す説明図であり、図１２は、携帯端末装置２における市況データの表示画面を表す説明図であり、図１３は、携帯端末装置２における計算データの表示画面を表す説明図である。
【００７３】
利用者は、携帯端末装置２の入力手段３４から、送受信手段３２に対して顧客コード「１２３４５」の顧客データを表示するように指示する。すると、送受信手段３２が、画面表示手段３３とＬＡＮ−Ｉ／Ｆ３１とにその指示を出力する。そして、画面表示手段３３では、当該指示が一時的に保持され、ＬＡＮ−Ｉ／Ｆ３１がＬＡＮを介してＤＢサーバ１のＬＡＮ−Ｉ／Ｆ１７に当該指示を送信する。
【００７４】
当該指示は、ＬＡＮ−Ｉ／Ｆ１７によって、バッファに一時的に格納され、送信時に誤りがなければ（又は誤りが訂正できれば、それでもよい）、デュアルポートＲＡＭにセットされる。
【００７５】
そして、当該指示は、データ連結手段１８により取り込まれ、その内容が顧客データの表示の要求であるので、データ連結手段１８がＤＢエンジン１６を検索して、指示された顧客コードに対応する顧客データを検索し、顧客データを取得する。
【００７６】
そして、顧客データが取得され、送信すべきデータがあるので、データ連結手段１８により、データ関連付けと、データ計算とが行われ、顧客データとそれに関係する市況データの計算データとがＬＡＮ−Ｉ／Ｆ１７のデュアルポートＲＡＭに格納される。
【００７７】
そして、ＬＡＮ−Ｉ／Ｆ１７が当該顧客データと計算データとをＬＡＮを介して情報端末装置２に送信する。
そして、情報端末装置２のＬＡＮ−Ｉ／Ｆ３１が該顧客データと計算データとをＬＡＮを介して受信し、送受信手段３２に出力し、送受信手段３２が、それらを画面表示手段３３に出力する。
【００７８】
すると、画面表示手段３３が、先に保持した指示が顧客データを表示する指示であるので、入力を受けた顧客データと計算データとのうち、顧客データのみを表示するようになる。
そうして、ディスプレイには、図１０（ａ）〜（ｃ）に示すような顧客データが表示されているようになる。
ここで、表示される顧客データは、図１０（ａ）〜（ｃ）のどれでもよく、これらの間で、自在に切り替えることができるようになっている。
【００７９】
また、この時点で、画面表示手段３３が計算データをも保持しているので、利用者は、入力手段３４を操作して、図１２（ａ）〜（ｄ）に示すような計算データをディスプレイに表示させることができるようになっている。
【００８０】
さらに、利用者は、顧客が現在は保持していない市況データについても、既に説明した顧客データを表示する処理と同様にして図１１（ａ），（ｂ）のように表示させることができるようになっている。
【００８１】
第１の実施の形態の情報表示システムによれば、顧客コードを指定すれば、ＤＢサーバが自動的に当該顧客の損益の情報を保有銘柄情報等に基づいて計算し、送信するようにしているので、計算ミスがなく、検索、計算にかかる時間を短縮でき、リアルタイム性に富むという効果がある。
【００８２】
また、第１の実施の形態の情報端末装置及び情報表示システムによれば、顧客データを検索する情報端末装置と計算データを表示する情報端末装置とを別個に設置する必要がないので、設置に要する面積を低減できる効果がある。
【００８３】
次に、本発明の第２の実施の形態に係る情報表示システムについて、図１３を用いて説明する。図１３は、本発明の第２の実施の形態に係る情報表示システムの構成ブロック図である。
【００８４】
本発明の第２の実施の形態に係る情報表示システム（以下、第２の情報表示システムと称することがある）は、第１の情報表示システムとその構成をほぼ同一にするものであるが、情報端末装置２′が、データ管理のための構成を備えていることが異なっている。
【００８５】
そこで、この情報端末装置２′について説明すると、情報端末装置２′は、図１３に示すように、ＬＡＮ−Ｉ／Ｆ３１と、送受信手段３２′と、画面表示手段３３と、入力手段３４と、データ保管メモリ３５と、データ管理手段３６とから構成されている。
ここで、ＬＡＮ−Ｉ／Ｆ３１と、画面表示手段３３とは、第１の実施の形態の情報端末装置２におけるそれらと同様のものであるので、その説明を省略する。
【００８６】
送受信手段３２′は、入力手段３４から通信停止の指示を受けて、それ以降、データの表示を要求する指示をＬＡＮ−Ｉ／Ｆ３１からデータ管理手段３６に切替えて出力するものである（以下、この状態を「オフライン状態」と称する）。
【００８７】
また、送受信手段３２′は、入力手段３４から通信再開の指示を受けて、前回オフライン状態となって以来、データ保管メモリ３５に新たに格納されたデータをデータ管理手段３６を介して抽出し、ＬＡＮ−Ｉ／Ｆ３１に出力するものであり、また、以後のデータの表示を要求する指示をデータ管理手段３６からＬＡＮ−Ｉ／Ｆ３１に切替えて出力するものである（以下、この状態を「オンライン状態」と称する）。尚、送受信手段３２′は、オンライン状態では第１の情報表示システムの送受信手段３２と同様の動作をするものである。
【００８８】
また、送受信手段３２′は、オンライン状態では第１の情報表示システムの送受信手段３２と同様に、ＬＡＮ−Ｉ／Ｆ３１からデータの入力を受けて、表示手段３３に出力するものである。
【００８９】
さらに、送受信手段３２′は、オフライン状態にて、入力手段３４より特定のデータを更新する指示と、更新するデータとの入力を受けて、更新するデータをデータ管理手段３６に出力するものである。
【００９０】
さらに、送受信手段３２′は、オンライン状態にて、入力手段３４より、特定のデータを取得する指示の入力を受けて、ＬＡＮ−Ｉ／Ｆ３１を介してＬＡＮに出力し、また、当該特定のデータの入力をＬＡＮ−Ｉ／Ｆ３１より受けて、それをデータ管理手段３６に出力するものである。
【００９１】
入力手段３４は、第１の情報表示システムの情報端末装置２におけるものと同様の動作をするものであるが、それに加えて、特定のデータを格納すべき指示と通信停止の指示とを利用者から入力され、特定のデータを格納すべき指示と通信停止の指示とを送受信手段３２′に出力するものである。
【００９２】
データ保管メモリ３５は、顧客データと市況データと計算データとを格納するメモリであり、データ管理手段３６によってそれらのデータを格納し、又は読み出し、又は消去するものである。
【００９３】
データ管理手段３６は、入力手段３４から特定のデータを格納すべき指示と通信停止の指示とを受けて、当該特定されたデータを取得する指示（第１の実施の形態における表示の指示と同様のものである）を送受信手段３２′に出力するものである。
また、データ管理手段３６は、送受信手段３２′から取得したデータ又は更新するデータの入力を受けて、それをデータ保管メモリ３５に新たに又は更新して（上書きして）格納するものである。
【００９４】
ここで、データ管理手段３６は、送受信手段３２′から、計算データを伴わない顧客データの入力を受けて（オフライン状態にて、顧客データの更新を受けて）、それが保有商品の情報の更新であるかを判断し、そうであるならば、データ保管メモリ３５から該当する市況データと計算データとを検索し、検索されれば、該市況データと計算データとから、計算データを再計算して、データ保管メモリ３５に上書きして格納するものであり、また再計算した計算データを画面表示手段３３に出力するものである。これにより、再計算した計算データが画面表示手段３３により表示されるものである。
尚、これらの再計算の処理は公知の処理により実現可能なものであり、説明を省略する。
【００９５】
さらに、データ管理手段３６は、送受信手段３２′からデータの表示を要求する指示を受けて、データ保管メモリ３５を検索し、表示を要求されたデータが検索されれば、それを画面表示手段３３に出力するものである。
【００９６】
さらに、データ管理手段３６は、送受信手段３２′からの指示に応じて、オフライン状態にてデータ保管メモリ３５に新たに格納したデータ（更新したデータを含む）を抽出し、送受信手段３２′に出力するものである。ここで、新たに格納されたデータを抽出する動作は、更新フラグを用いるなど公知の技術によって実現できるものである。
【００９７】
次に、第２の情報表示システムの特徴的な動作について、データを検索・表示する動作と、データを更新する動作とに分けて説明する。
まず、データを検索・表示する動作について説明すると、利用者は、顧客コード「１２３４５」の顧客と渉外活動を行うため、ＬＡＮが利用できなくなることを考慮して、情報端末装置２′の入力手段３４から顧客コード「１２３４５」を指定してデータを格納する指示と、通信停止の指示とを送受信手段３２に入力する。
【００９８】
すると、データ管理手段３６が、ＬＡＮ−Ｉ／Ｆ３１に当該特定されたデータを取得する指示を送信し、送受信手段３２′が、以降のデータの表示要求の指示をデータ管理手段３６に出力するようになる。
そして、データ管理手段３６が、ＬＡＮ−Ｉ／Ｆ３１から、送受信手段３２′を介して第１の情報表示システムと同様の処理によって取得された顧客コード「１２３４５」の顧客に対応する顧客データと計算データとの入力を受けて、それらをデータ保管メモリ３５に格納する。
請求項７において、この処理をダウンロードと称している。
【００９９】
そして、利用者は、情報端末装置２′をＬＡＮから切り離して携行し、ＬＡＮに接続されていない状態（オフライン状態）で、顧客コード「１２３４５」の顧客データを表示する指示を入力手段３４に入力する。
すると、入力手段３４が送受信手段３２′にその指示を出力し、送受信手段３２′が画面表示手段３３とデータ管理手段３６とにその顧客データを表示する指示を出力する。そして、画面表示手段３３が当該指示を一時的に保持する。
【０１００】
すると、データ管理手段３６が、顧客コード「１２３４５」をキーとしてデータ保管メモリ３５を検索して、それに対応して、格納されている顧客データと計算データとを画面表示手段３３に出力する。
【０１０１】
そして、画面表示手段３３が、保持している指示に従って、まず顧客データのみをディスプレイに表示するようになる。
【０１０２】
次に、第２の情報表示システムにおいて、オフラインにてデータを更新する際の動作について説明する。
利用者は、情報を検索・表示するときと同様に情報端末装置２′に例えば、オンライン状態にて顧客コード「１２３４５」を指定して情報端末装置２′に顧客データと該顧客データに関連する計算データとを格納させ、情報端末装置２′をオフライン状態にする。
【０１０３】
そして、利用者は情報端末装置２′を携行し、オフライン状態にて、入力手段３４を介して顧客コード「１２３４５」を指定して、例えばその保有商品の更新を行う。
【０１０４】
すると、入力手段３４から当該顧客コード「１２３４５」と、保有商品を更新するデータとが送受信手段３２′に出力される。
そして、送受信手段３２′が、それらのデータをデータ管理手段３６に出力し、データ管理手段３６が、データ保管メモリ３５にそれらのデータを更新して格納する。
【０１０５】
やがて、利用者が情報端末装置２′をＬＡＮに接続し、入力手段３４から通信再開を指示すると、送受信手段３２′がそれを受けて、データ管理手段３６から先にオフライン状態になって以来、新たにデータ保管メモリ３５に格納したデータ（更新したデータを含む）を抽出させ、それをＬＡＮ−Ｉ／Ｆ３１に出力し、その後、情報端末装置２′は、オンライン状態となる。
【０１０６】
そして、ＬＡＮ−Ｉ／Ｆ３１よりＬＡＮを介してＤＢサーバ１に更新されたデータが伝送され、ＤＢサーバ１のＤＢエンジン１６が管理するＤＢが更新される。
この動作は、第１の情報表示システムにおける更新の動作と同じものである。
【０１０７】
尚、オンライン状態では、第２の情報表示システムは、第１の情報表示システムと同様に動作する。
【０１０８】
第２の実施の形態の情報表示システムによれば、通信停止の指示を受けて、情報端末装置２′が必要なデータを保持し、通信再開の指示を受けるまでは、ＤＢサーバ１に代えて、該保持したデータについて検索・表示するようにしており、また、オフライン状態にて入力されたデータを保持し、オンライン状態に復帰する際にそのデータでＤＢサーバ１のＤＢを更新するようにしているので、通信回線の利用が困難で、ＬＡＮに接続できなくても、渉外活動に支障をきたすことなくデータを表示でき、更新できる効果がある。
【０１１０】
【発明の効果】
本発明によれば、複数の情報端末装置のそれぞれからＬＡＮを介して顧客データ又は市況データの表示の指示を受けるＤＢサーバを備え、ＤＢサーバが顧客データの表示の指示について、顧客データを検索するとともに、該顧客データに含まれる保有商品の情報を元に銘柄コードと証券情報とを対応付ける市況データをも検索し、それらを元に、取引の判断材料となる騰落状況、売買時の損益額等の計算データを算出して、それら顧客データ及び計算データを、ＬＡＮを介して情報端末装置に送信し、情報端末装置がそれら顧客データ及び計算データを表示し、また、ＤＢサーバが市況データの表示の指示について、市況データを検索して、該市況データをＬＡＮを介して情報端末装置に送信し、情報端末装置がその市況データ表示する情報表示システムとしているので、各顧客の保有商品等の状況と市況データとを一の端末において、リアルタイムに表示できる効果がある。
【０１１１】
本発明によれば、上記情報表示システムにおいて、情報端末装置が指示によって、ＤＢサーバよりオンライン状態で顧客データ及び計算データ又は市況データをダウンロードして一時的に保持し、オフライン状態となった後は、該保持しているデータについて検索を行うことによって、情報端末装置を携帯可能とする情報表示システムとしているので、オンライン状態にて、各顧客の保有商品等の状況と市況データとを一の端末において、リアルタイムに表示でき、かつ、通信回線の利用が困難な地域にあっても、オフライン状態とすることによって、渉外活動に支障を来すことなく、各顧客の保有商品等の状況と市況データとを表示できるという効果がある。
【０１１２】
本発明によれば、上記情報表示システムにおいて、オフライン状態にて情報端末装置に入力された顧客データをオンライン状態に復帰するとともにＬＡＮを介してＤＢサーバへ送信し、ＤＢサーバが当該顧客データを更新する情報表示システムとしているので、通信回線の利用が困難な地域にあっても、オフライン状態にて入力された顧客データを保持し、オンライン復帰時にＤＢサーバ上のデータを更新する情報表示システムとしているので、渉外活動に支障を来すことなく、各顧客の顧客データを更新し、また保有商品等の状況と市況データとを表示できるという効果がある。
【０１１３】
本発明によれば、上記情報表示システムにおいて、オフライン状態にて顧客データが情報端末装置に入力されると、情報端末装置のデータ管理手段が、当該入力された顧客データを元に、データ保管メモリに格納されている計算データを再計算して更新すると共に画面表示手段に出力する情報表示システムとしているので、渉外活動を円滑に行って、各顧客の顧客データを更新し、また保有商品等の状況と市況データとを表示でき、更に更新した計算データをも表示できるという効果がある。
【図面の簡単な説明】
【図１】本発明の実施の形態に係る情報表示システムの構成ブロック図である。
【図２】市況データモニタ手段１２の情報を処理する動作を表すフローチャート図である。
【図３】市況テーブル１３の一例を表す説明図である。
【図４】顧客データモニタ手段１５の動作を説明するフローチャート図である。
【図５】顧客データを管理する顧客テーブルの一例を表す説明図である。
【図６】リミットマインダテーブルの内容の一例を表す説明図である。
【図７】データ連結手段１８の動作を表すフローチャート図である。
【図８】更新手段１９の処理の内容を表すフローチャート図である。
【図９】オンキャッシュ表示状態テーブル２１の内容を表す説明図である。
【図１０】携帯端末装置２における顧客データの表示画面を表す説明図である。
【図１１】携帯端末装置２における市況データの表示画面を表す説明図である。
【図１２】携帯端末装置２における計算データの表示画面を表す説明図である。
【図１３】本発明の第２の実施の形態に係る情報表示システムの構成ブロック図である。
【符号の説明】
１…ＤＢサーバ、  ２…情報端末装置、  １１…第１のＩ／Ｆ、  １２…市況情報モニタ手段、  １３…市況テーブル、  １４…第２のＩ／Ｆ、  １５…顧客情報モニタ手段、  １６…ＤＢエンジン、  １７，３１…ＬＡＮ−Ｉ／Ｆ、  １８…データ連結手段、  １９…更新手段、  ２０…オンキャッシュ表示状態テーブル、  ２１…オンキャッシュリミットマインダテーブル、  ３２，３２′…送受信手段、  ３３…画面表示手段、  ３４…入力手段、  ３５…データ保管メモリ、  ３６…データ管理手段
【図１】
0003817295.tif 000002
【図２】
0003817295.tif 000003
【図３】
0003817295.tif 000004
【図４】
0003817295.tif 000005
【図５】
0003817295.tif 000006
【図６】
0003817295.tif 000007
【図７】
0003817295.tif 000008
【図８】
0003817295.tif 000009
【図９】
0003817295.tif 000010
【図１０】
0003817295.tif 000011
【図１１】
0003817295.tif 000012
【図１２】
0003817295.tif 000013
【図１３】
0003817295.tif 000014